(57)【要約】【課題】Ｎ２の元素をつかつたものは無く，Ｎ２が害になるといえなく無い。Ｏ２としゃだんする能力は大きいので積極的に利用すべきである。またタンカーの事であるが今までいれて来た海水をいれ海の汚れをさそつて来た。【解決手段】Ｎ２，Ｈ２，Ｏ２の元素の特性を利用して  おこなつた。Ｎ２の元素の特性は酸素系との遮断する事による酸化防止，保存，防虫作用と消火作用となり最後に消火器と成つた（図１−４）。Ｈ２，Ｏ２，の特性を利用し高速タンカーを考えた。（図５）エンジンにＨ２，Ｏ２，を２：１で混合し爆発させる０＋水次いで水蒸気（１）となり爆発後は陰圧となり  エンジンとして動かない。そこでＨ２が完全燃焼し、爆発後陽圧になるようすると空気：Ｈ２：Ｏ２は１０：５：５で良いのである。この時Ｎ２：Ｈ２：Ｏ２は８：５：７となる。この高速タンカーに液晶パネルで発電，発電機で発電し  Ｈ２，Ｏ２を充電しながら製造する。（図６）タンカー真水を入れるゴムフーセン（図７）等と共に自動車ロケットも考えた。（図９，１０）【特許請求の範囲】
【発明の詳細な説明】
2010070260.tif 000002
2010070260.tif 000003
2010070260.tif 000004
2010070260.tif 000005
2010070260.tif 000006
2010070260.tif 000007
2010070260.tif 000008
【手続補正書】
【提出日】平成21年2月23日(2009.2.23)
【手続補正２】
【補正対象書類名】特許請求の範囲
【補正対象項目名】全文
【補正方法】追加
【補正の内容】
【特許請求の範囲】
【請求項１】
フイルムの酸化防止
温度変化などにより酸化される物質の酸化を防止作用にもちいた。特に防止するものをフイルムなどに限定したのはＮ２気体を用いる事似よつて起こり得る事である。しかも気体を用いる事により成り立つこれによつて次の事がわかる。．
【請求項２】
酸化されやすい物質の保存
Ｎ２の酸化防止作用を保存機能として利用する。物はフィルム，写真，洋服なとと有るがその大半は室内かそれ以上の物は無い。あれば実験室のような物くらいであろう．
【請求項３】
消化作用としてのＮ２気体を用いる
部屋の中，ビルの消化剤、消火器などとして用いる事ができ又火薬の爆発りよくが空気中のＯ２による化学反応であるならば  爆発防止の部屋にする事も可能である。そうしてそのような事に成れば良い。
【請求項４】
石油タンカーにバランス水としておいしい水をいれる。
おいしい水を売り  原油，石油等を積載して帰る。この為にゴム風船等と同様な作用お有する物を入れる事である。その入れ物には味が落ちないようにしてある事が肝心である。
【請求項５】
石油タンカーを高速化するためにＨ２，Ｏ２エンジを付ける
高速化した事により海賊などの進入を抑えたりできるため，又わ安全装置として取り付けてある物列記しよう。液晶パネル、アルミ二−ム板，自動銃等のうえにＨ２，Ｏ２のエンジンを取り付けてある。
【請求項６】
Ｈ２，Ｏ２エンジンを取り付けてある。
Ｈ２，Ｏ２エンジンの応用として大容量のエンジンを取付け、これお連結しスピイドアツプすると良い。ここにはＨ２，Ｏ２エンジンを付けても良いがトラックみたいな物には小型のエンジンにすれば良い。
【請求項７】
Ｎ２，Ｈ２，Ｏ２をエネルギーのロケツト
ロケットはエネルギーが非常に小さいためにあまり研究してないが走る事は確かに走るたろう。確かに上がるのはそんなにたやすい事なとかと考えると同だろうかなとおもう。
この様にロヶットは計算された芸術である。がしかし飛ぶ物体であるからして法則は有る筈である。そこで総重量のことはのべるとしよう。
【手続補正３】
【補正対象書類名】明細書
【補正対象項目名】全文
【補正方法】追加
【補正の内容】
【発明の詳細な説明】
【技術分野】
【０００１】      化学分野
今まで使われていなかったＮ２，Ｏ２，Ｈ２の性質を利用した発明
【背景技術】
【０００２】Ｎ２，Ｏ２，Ｈ２の性質と既存の技術
【発明の開示】
【発明が解決しようとする課題】
【０００３】Ｎ２の酸化防止能力、Ｈ２，Ｏ２，の爆発エネルギー十分利用する事でポラロイド酸化防止，消火器，写真，フィルムの酸化防止、タンカーのバランス水による地球汚染の防止、タンカーを高速で走らせ進入防止パネルで海賊を防止、このエンジンを用いた自動車とＨ２，Ｏ２をエネルギー原とするロケット。
【課題を解決するための手段】
【０００４】Ｎ２，の酸化防止能力、体に無害な物質として消火能力を利用
おいしい水を風味なども落とさないようにゴムフーセンにいれる。
Ｈ２，Ｏ２のエンジンでタンカーを高速で走らせるとともに発電機、液晶パネルでバッテリーよりＨ２，Ｏ２を再生産させる。
Ｈ２．Ｏ２エネルギーでジェットエンジンも作れる。
【発明の効果】
【０００５】Ｎ２を用いることによりパッケイジを破らない限り温度に気おつける必要がなくなる。ＣＯ２などの中毒防止
Ｈ２，Ｏ２で走るタンカーがおいしい水をバランス水を運べば環境破壊を防止することも出来るし  おいしい水も売れる
Ｈ２，Ｏ２を燃料とするエンジンは  排気としても蒸気であり、非常にクリアーなエネルギーである。しかもこのエネルギーはロケットに転用かのうである。
【実施例】
【０００６】Ｎ２は  元素の特性を利用しているので実施例がない。
Ｈ２，Ｏ２のエンジンでは  ロータリーエンジンで実施し  エネルギーが弱いとの報告されている。これはロータリーの場わい燃焼室の圧が上がらずＨ２が完全燃焼してないからである。普通のエンジンは爆発したときの残る気体の量が爆発の力を伝えられる量あるかである。
【図面の簡単な説明】
【０００７】
【図１】Ｎ２を充満させた部屋にポラロイドのパキング機械があるところ。  ▲１▼  パキング機械
【図２】コントロールの部屋を取付けたところ。  ▲２▼  ドアノブ  ▲３▼  Ｎ２，Ｏ２のコントロール部屋
【図３】コントロールのへやをみたところ。  ▲４▼  Ｎ２．Ｏ２コントロールパネル  ▲５▼  Ｎ２ガスボンベ  ▲６▼  Ｎ２液体ボンベ  ▲７▼  Ｏ２ガスボンベ  ▲８▼  Ｏ２液体ボンベ
【図４】消火器の断面  ▲９▼  Ｎ２のコントロール
【図５】高速タンカーの左、右の概観  ▲１０▼  船のコントロール部  ▲１１▼  スクリュ  ▲１２▼  液晶パネル  ▲１３▼  パイプライン
【図６】バッテリーの構造  ▲１４▼  液面  ▲１５▼  隔壁  ▲１６▼  Ｈ２ホース  ▲１７▼  Ｏ２ホース
【図７】タンカーの先端部、中央部、船尾  ▲１８▼  Ｈ２ガスボンベ  ▲１９▼  ゴム風船  ▲２０▼  水  ▲２１▼  原油  ▲２２▼  あ）  バッテリー室  い）  エンジン  う）  発電機  え）
【図８】進入防止パネルとその動き。
【図９】Ｈ２，Ｏ２で走る自動車の左、右側面
【図１０】上から見たところ  下から見たところ  え）  フロントグラス
【図１１】Ｈ２，Ｏ２で飛ぶロケットの側面，上，中、下の断面  １）  液体ボンベ  ２）  気体ボンベ
【手続補正５】
【補正対象書類名】図面
【補正対象項目名】全図
【補正方法】追加
【補正の内容】
【図１】
2010070260.tif 000009
【図２】
2010070260.tif 000010
【図３】
2010070260.tif 000011
【図４】
2010070260.tif 000012
【図５】
2010070260.tif 000013
【図６】
2010070260.tif 000014
【図７】
2010070260.tif 000015
【図８】
2010070260.tif 000016
【図９】
2010070260.tif 000017
【図１０】
2010070260.tif 000018
【図１１】
2010070260.tif 000019